(57)【要約】【課題】本発明の課題は、組立性が良好で、クリップの連結部が外れにくいクリップを有するノック式筆記具を簡単な構造で提供することである。【解決手段】本発明は、出没機構を具備してなるノック式筆記具であって、前記クリップが、前記軸筒の後端部に装着したクリップ台に回動自在に連結し、該クリップ台の外壁面とクリップの底壁面間に配設した弾発部材によって、常時、前記クリップの先端部をクリップ台の外壁面に圧接し、クリップの後端部を押圧することにより、クリップとクリップ台との連結部を支点とし、前記クリップの先端部を軸筒の外壁面から離間可能に配設するとともに、前記軸筒の後端部の横断面を略Ｕ字形状とし、前記軸筒の後端部に、クリップの底面側に向かって延びる壁部を設けるとともに、前記壁部の少なくとも一部が、前記クリップとクリップ台の連結部における周方向の延長線上に位置することを特徴とする。【選択図】      図１
2013091302.tif 000002
【特許請求の範囲】
【請求項１】
軸筒内に、筆記体をコイルスプリングによって後方に付勢して配設し、前記軸筒から後方に突出し、軸筒内を摺動自在に配設したノック体を軸筒先端側に押圧することで、ノック体の外壁に形成した係止部が、クリップの先端部の被係止部に係止して、前記筆記体の筆記先端部を、前記軸筒の先端開口部から突出した状態を維持し、前記クリップの後端部を押圧して、クリップの被係止部に係止した係止部を解除し、前記コイルスプリングの付勢力によって、前記筆記体の筆記先端部を軸筒の先端開口部内に没入することができる出没機構を具備してなるノック式筆記具であって、前記クリップが、前記軸筒の後端部に装着したクリップ台に回動自在に連結し、該クリップ台の外壁面とクリップの底壁面間に配設した弾発部材によって、常時、前記クリップの先端部をクリップ台の外壁面に圧接し、クリップの後端部を押圧することにより、クリップとクリップ台との連結部を支点とし、前記クリップの先端部を軸筒の外壁面から離間可能に配設するとともに、前記軸筒の後端部の横断面を略Ｕ字形状とし、前記軸筒の後端部に、クリップの底面側に向かって延びる壁部を設けるとともに、前記壁部の少なくとも一部が、前記クリップとクリップ台の連結部における周方向の延長線上に位置することを特徴とするノック式筆記具。
【請求項２】
前記壁部に、前記軸本体の軸心側に向かって延びる延設部を設けたことを特徴とする請求項１に記載のノック式筆記具。
【発明の詳細な説明】
【技術分野】
【０００１】
本発明は、ノック式筆記具に関し、さらに詳細には、筆記体の筆記先端部を軸筒の先端開口部から出没可能な機構を具備してなるクリップを有するノック式筆記具に関する。
【背景技術】
【０００２】
従来から、筒体の外壁面とクリップの底壁面間に配設した弾発部材によって、常時、クリップの先端部を筒体の外壁面に圧接し、クリップの後端部を押圧することにより、クリップと筒体との連結部を支点とし、前記クリップの先端部を軸筒の外壁面から離間可能に配設したクリップを有する筆記具はよく知られている。こうしたクリップを有する筆記具において、特開平９−９９６９０号公報「ノック式筆記具」や特開２００９−６６４３号公報「クリップ取付構造」、特開２００５−２３１１４８号公報「シャープペンシル」等に、コイルスプリングや板バネなど弾発部材によってクリップを弾発した筆記具が開示されている。
【先行技術文献】
【特許文献】
【０００３】
【特許文献１】特開平９−９９６９０号公報
【特許文献２】特開２００９−６６４３号公報
【特許文献３】特開２００５−２３１１４８号公報
【発明の概要】
【発明が解決しようとする課題】
【０００４】
しかしながら、特許文献１、２は、筒体内にてクリップと連結しているため、組立性も煩雑になるとともに、クリップと筒体の連結部を挿入する空間を設ける必要がある等の問題があった。
【０００５】
こうした問題を鑑みて、特許文献３のように、クリップと筒体の連結部を筒体の外側に設けることが考えられるが、連結部が外部に露出するために、落下の衝撃などによって、連結が外れる恐れがあり、強固に連結する必要があった。
【０００６】
本発明はこれらの従来技術に鑑みてなされたものであって、組立性が良好で、クリップの連結部が外れにくいクリップを有するノック式筆記具を簡単な構造で提供することにある。
【課題を解決するための手段】
【０００７】
本発明は、前記問題を解決するために、軸筒内に、筆記体をコイルスプリングによって後方に付勢して配設し、前記軸筒から後方に突出し、軸筒内を摺動自在に配設したノック体を軸筒先端側に押圧することで、ノック体の外壁に形成した係止部が、クリップの先端部の被係止部に係止して、前記筆記体の筆記先端部を、前記軸筒の先端開口部から突出した状態を維持し、前記クリップの後端部を押圧して、クリップの被係止部に係止した係止部を解除し、前記コイルスプリングの付勢力によって、前記筆記体の筆記先端部を軸筒の先端開口部内に没入することができる出没機構を具備してなるノック式筆記具であって、前記クリップが、前記軸筒の後端部に装着したクリップ台に回動自在に連結し、該クリップ台の外壁面とクリップの底壁面間に配設した弾発部材によって、常時、前記クリップの先端部をクリップ台の外壁面に圧接し、クリップの後端部を押圧することにより、クリップとクリップ台との連結部を支点とし、前記クリップの先端部を軸筒の外壁面から離間可能に配設するとともに、前記軸筒の後端部の横断面を略Ｕ字形状とし、前記軸筒の後端部に、クリップの底面側に向かって延びる壁部を設けるとともに、前記壁部の少なくとも一部が、前記クリップとクリップ台の連結部における周方向の延長線上に位置することを特徴とする。
【０００８】
また、前記壁部に、前記軸本体の軸心側に向かって延びる延設部を設けたことを特徴とする。
【０００９】
本願発明の第１の構成によれば、出没機構を具備してなるノック式筆記具であって、前記クリップが、前記軸筒の後端部に装着したクリップ台に回動自在に連結し、該クリップ台の外壁面とクリップの底壁面間に配設した弾発部材によって、常時、前記クリップの先端部をクリップ台の外壁面に圧接し、クリップの後端部を押圧することにより、クリップとクリップ台との連結部を支点とし、前記クリップの先端部を軸筒の外壁面から離間可能に配設するとともに、前記軸筒の後端部の横断面を略Ｕ字形状とし、前記軸筒の後端部に、クリップの底面側に向かって延びる壁部を設けるとともに、前記壁部の少なくとも一部が、前記クリップとクリップ台の連結部における周方向の延長線上に位置するため、クリップとクリップ台の連結部が、軸筒の壁部によって周方向に外れ難くなるため、強固な連結を必要とせず、組立性を向上する効果を奏することができる。
【００１０】
また、軸筒の後端部の横断面を略Ｕ字形状としあるため、軸筒後端部の壁部間に長手方向に延びるガイド溝となるため、予めクリップを連結してあっても連結部が外部に露出することなく、クリップ台を軸筒後端側から装着することができる効果を奏する。
【００１１】
本願発明の第２の構成によれば、前記壁部に、前記軸本体の軸心側に向かって延びる延設部を設けてあるため、連結部と壁部との距離を短くすることができるとともに、壁部が外側へ開き難くすることができる。
【００１２】
尚、クリップとクリップ台との連結部は、クリップとクリップ台との連結部を支点としクリップの先端部をクリップ台から離間可能な構造であれば特に限定されるものではなく、クリップ台又はクリップに形成した凸部と、クリップ又はクリップ台に形成した突部に対向する凹部との係合等、適宜選択することができるが、クリップとクリップ台の連結部が、クリップ台に設けた支柱の貫通孔と、クリップの取付部に設けた貫通孔とを取付ピンによって連結してある構造は、ピンが外れる恐れがあるために特に効果的である。
【００１３】
また、本発明のクリップには、ステンレス鋼、銅合金、アルミニウム等の金属材料やＰＣ樹脂、ＰＰ樹脂、ＡＳ樹脂等の樹脂材料など、筆記具のクリップとして一般的に知られている材料のなかから適宜選定すればよい。
【発明の効果】
【００１４】
本発明は、組立性が良好で、クリップの連結部が外れにくいクリップを有するノック式筆記具を簡単な構造で提供することができた。
【図面の簡単な説明】
【００１５】
【図１】実施例１のノック式筆記具を示す縦断面図である。
【図２】図１における筆記先端部を突出した状態を示す図である。
【図３】図２におけるＡ−Ａ断面図である。
【図４】図１におけるクリップを省略した上面図である。
【図５】図４におけるＢ−Ｂ断面図である。
【発明を実施するための形態】
【００１６】
次に図面を参照しながら、本発明のノック式筆記具の実施例を説明するが、本発明は以下の実施形態に限定されるものではない。
【００１７】
実施例１
図１から図５に示す実施例１のノック式筆記具１は、軸筒２後端部に、後端部が円筒体からなるクリップ台５を装着し、軸筒２の先端部に口先部材３を螺着して軸筒本体を構成し、クリップ台５の外壁に設けられた支柱５Ａと、金属製からなるクリップ６とを連結し、クリップ６とクリップ台５との連結部Ｒを支点として回動可能に連結するとともに、クリップ６の内壁とクリップ台５との間であって支柱５Ａの後方に配設され、クリップ台５の外壁に立設されクリップ側に向かって延びる円柱状の突部５Ｃに配設したコイルスプリングからなる弾発部材１０によって、クリップ６の内壁の先端部に設けた被係止部６Ａを常時軸筒２側に弾発するとともに、クリップ６の後端部６Ｂを軸筒２側へ押圧することによりクリップ６とクリップ台５との連結部Ｒを支点とし軸筒２に対しクリップ６の被係止部６Ａを軸筒２から離間可能にしてある。
【００１８】
また、軸筒２内には、インキ収容筒内にボールペン用インキ（図示せず）を充填し、ボールペンチップを筆記先端部８としたボールペンレフィルからなる筆記体７をコイルスプリング９によって後方に付勢して配設し、軸筒２及びクリップ台５から後方に突出し、クリップ台５内を摺動自在に配設したノック体４を口先部材３側に押圧することで、ノック体４の外壁に形成した係止部４Ａが、クリップ６の先端部の被係止部６Ａに係止して、筆記体の筆記先端部８を、口先部材３の先端開口部３Ａから突出した状態を維持し、クリップ６の後端部６Ｂを押圧して、クリップ６の被係止部６Ａに係止した係止部４Ａを解除すると、コイルスプリング９の付勢力によって、筆記体の筆記先端部８を口先部材３の先端開口部３Ａ内に没入することができる出没機構を具備したノック式筆記具１である。
【００１９】
クリップ６とクリップ台５との連結部Ｒは、クリップ台５の支柱５Ａに形成された周方向に貫通した係合用孔部５Ｂと、クリップ６の側壁に形成された周方向に貫通した係合用孔部６Ｃとをピン１２によって、クリップ６がクリップ台５に対して回動自在に係合して連結してある。
【００２０】
軸筒２は、軸筒２の後端部の横断面を略Ｕ字形状とし、軸筒２の後端部に、クリップ６の底面側に向かって延びる壁部２Ａを併設するとともに、壁部２Ａには、クリップ６とクリップ台５との連結部Ｒに向かって延びる延設部２Ｂを周方向に離間して設けてある。この延設部２Ｂの隙間Kは、軸筒２の後端から先端側に向かって長手方向に向かって延びるガイド溝Ｓとしてある。
【００２１】
軸筒２とクリップ台５は、クリップ台５に設けた突起５Ｄを軸筒２に設けた係合孔２Ｃに係合して装着してある。具体的には、クリップ６をクリップ台５に連結した後、軸筒２後端側から軸筒後端部の壁部２Ａの延設部２Ｂ間のガイド溝Ｓに連結部Ｒを案内して、クリップ台５を軸筒先端側に移動させる。この時、クリップ台５の先端部は内側への撓み易くするため、スリットを設けてあり、クリップ台５に設けた突起５Ｄを軸筒２に設けた係合孔２Ｃに容易に係合することができる。
【００２２】
また、軸筒２には、ノック体４の外壁に形成した係止部４Ａと、クリップ６の先端部の被係止部６Ａとの係止を容易にするため、クリップ６の係止部が没入する凹部２Ｄと、凹部２Ｄの底面には、ノック体４の係止部４Ａが摺動可能、且つガイド溝Ｓの溝幅Ｋよりも溝幅の小さい摺動溝Ｔを設けてある。さらに、軸筒２の摺動溝Tと軸心で対峙する面にも凹溝Ｔ２を設け、ノック体４に設けた凸部４Ｂを凹溝Ｔ２に沿って摺動自在として、より出没時の操作性を高めてある。
【００２３】
尚、本実施例では、クリップの開閉による出没機構を例示しているが、回転カム機構など出没機構は特に限定されるものではない。
【産業上の利用可能性】
【００２４】
本発明のノック式筆記具は、ノック式ボールペンに限定されるものではなく、ボールペン等種々の筆記具の軸筒に利用できるものである。
【符号の説明】
【００２５】
１  ノック式筆記具
２  軸筒
２Ａ  壁部
２Ｂ  延設部
２Ｃ  係合孔
２Ｄ  摺動溝
３  口先部材
４  ノック体
４Ａ  係止部
５  クリップ台
５Ａ  支柱
５Ｂ  係合用孔部
５Ｃ  突部
６  クリップ
６Ａ  被係止部
６Ｂ  後端部
６Ｃ  係合用孔部
７  筆記体
８  筆記先端部
９  コイルスプリング
１０  コイルスプリング
１１  弾発部材
１２  ピン
【図１】
2013091302.tif 000003
【図２】
2013091302.tif 000004
【図３】
2013091302.tif 000005
【図４】
2013091302.tif 000006
【図５】
2013091302.tif 000007